(57)【要約】【課題】冷却運転中に圧縮機を停止させているときに庫内湿度が高くなることを抑制しつつ、着霜量が少ない場合に庫内温度のムラを抑制すること。【解決手段】冷却貯蔵庫は、扉を有する貯蔵庫本体と、圧縮機及び蒸発器を有する冷却装置と、蒸発器によって冷却された空気を庫内に循環させる庫内ファンと、蒸発器の着霜量との間に相関がある物理量を検出する検出部と、圧縮機の運転／停止を切り替えて庫内温度をほぼ一定の範囲内に維持する冷却運転を行う制御部と、を備え、制御部は、物理量と第１の基準値とを比較して蒸発器の着霜量の多少を判断し、冷却運転中に圧縮機を停止させているとき、着霜量が多い場合は着霜量が少ない場合に比べて庫内ファンの稼働率を小さくする。【選択図】図７
2017020746.tif 000002
【特許請求の範囲】
【請求項１】
扉を有する貯蔵庫本体と、
圧縮機及び蒸発器を有する冷却装置と、
前記蒸発器によって冷却された空気を庫内に循環させる庫内ファンと、
前記蒸発器の着霜量との間に相関がある物理量を検出する検出部と、
前記圧縮機の運転／停止を切り替えて庫内温度をほぼ一定の範囲内に維持する冷却運転を行う制御部と、
を備え、
前記制御部は、前記物理量と第１の基準値とを比較して前記蒸発器の着霜量の多少を判断し、前記冷却運転中に前記圧縮機を停止させているとき、着霜量が多い場合は着霜量が少ない場合に比べて前記庫内ファンの稼働率を小さくする、冷却貯蔵庫。
【請求項２】
前記制御部は、前記冷却運転中に前記圧縮機を停止させているとき、着霜量が少ない場合は前記庫内ファンを連続運転又は間欠運転する一方、着霜量が多い場合は前記庫内ファンを完全に停止させる、請求項１に記載の冷却貯蔵庫。
【請求項３】
前記物理量は前記蒸発器の着霜量との間に正の相関があるものであり、
前記制御部は、前記蒸発器の着霜量が多い場合に、前記物理量が前記第１の基準値より大きい第２の基準値未満の場合は前記庫内ファンを間欠運転する一方、前記第２の基準値以上の場合は前記庫内ファンを完全に停止させる、請求項１に記載の冷却貯蔵庫。
【請求項４】
前記第１の基準値と前記第２の基準値との間に一つ以上の互いに異なる第３の基準値が設定されており、
前記制御部は、各前記第３の基準値について、前記物理量が当該第３の基準値以上の場合は当該第３の基準値未満の場合に比べて前記庫内ファンの稼働率を小さくする、請求項３に記載の冷却貯蔵庫。
【請求項５】
前記物理量は前記蒸発器の着霜量との間に負の相関があるものであり、
前記制御部は、前記蒸発器の着霜量が多い場合に、前記物理量が前記第１の基準値より小さい第２の基準値以上の場合は前記庫内ファンを間欠運転する一方、前記第２の基準値未満の場合は前記庫内ファンを完全に停止させる、請求項１に記載の冷却貯蔵庫。
【請求項６】
前記第１の基準値と前記第２の基準値との間に一つ以上の互いに異なる第３の基準値が設定されており、
前記制御部は、各前記第３の基準値について、前記物理量が当該第３の基準値未満の場合は当該第３の基準値以上の場合に比べて前記庫内ファンの稼働率を小さくする、請求項５に記載の冷却貯蔵庫。
【請求項７】
前記物理量は、最後に前記蒸発器の除霜が完了したときからの前記扉の開閉回数、外気の温度、外気の湿度、前記圧縮機の温度、前記蒸発器の温度、及び、庫内温度のうちの少なくとも一つである、請求項１乃至請求項６のいずれか一項に記載の冷却貯蔵庫。
【請求項８】
前記制御部は、前記蒸発器の除霜が完了する前の前記扉の開閉頻度と第４の基準値とを比較して除霜後の着霜量の多少を推定し、着霜量が多くなると推定した場合は、除霜後の前記冷却運転中に前記圧縮機を停止させているとき、前記蒸発器の着霜量の多少によらず、着霜量が多い場合の稼働率で前記庫内ファンを運転する、請求項１乃至請求項７のいずれか一項に記載の冷却貯蔵庫。
【請求項９】
前記制御部は、除霜後の着霜量が多くなると推定した場合は、除霜後に所定のタイミングで前記扉の開閉頻度を求め、前記扉の開閉頻度が前記第４の基準値未満の場合は、その後は前記圧縮機を停止させる毎に前記蒸発器の着霜量の多少を判断して前記庫内ファンの稼働率を決定する、請求項８に記載の冷却貯蔵庫。
【発明の詳細な説明】
【技術分野】
【０００１】
圧縮機の運転／停止を切り替えて庫内温度をほぼ一定の範囲内に維持する冷却貯蔵庫に関する。
【背景技術】
【０００２】
従来、扉を有する貯蔵庫本体、圧縮機と蒸発器とを有する冷却装置、及び、蒸発器によって冷却された空気を庫内に循環させる庫内ファンを備える冷却貯蔵庫が知られている。そして、このような冷却貯蔵庫において、庫内温度をほぼ一定の範囲内に維持するために圧縮機の運転／停止を切り替えるものが知られている。例えば特許文献１に記載の低温貯蔵庫はコンプレッサ（圧縮機）の運転／停止を切り替えることによって庫内温度をほぼ一定に保つものである。
【０００３】
ところで、上述した特許文献１に記載の低温貯蔵庫は、圧縮機を停止しているとき、冷媒温度が低い場合は庫内ファンの稼働率を低下させることによって電力消費を抑制し、冷媒温度が高い場合は庫内ファンの稼働率を高くすることによって庫内上部と下部との温度差（庫内温度のムラ）が大きくなることを防止している。
【０００４】
特許文献１に記載の低温貯蔵庫によると、扉の開閉が頻繁であって庫内上部と下部との温度差が大きくなる状況下では、圧縮機の稼働率が高くなって冷媒温度が上昇するので、圧縮機を停止させているとき庫内ファンの稼働率が高くなる。つまり、当該低温貯蔵庫は、扉の開閉が頻繁な場合は、圧縮機の停止中に庫内ファンの稼働率を高くするものである。
【先行技術文献】
【特許文献】
【０００５】
【特許文献１】特許第３２２０３７７号公報
【発明の概要】
【発明が解決しようとする課題】
【０００６】
ところで、扉が頻繁に開閉されると湿度が高い空気が庫内に多量に供給されて蒸発器に多量の霜が付着する。そのため圧縮機を停止させると多量の霜が溶け、蒸発器に多量の水滴が付着した状態になる。しかしながら、前述した特許文献１に記載の低温貯蔵庫によると、扉が頻繁に開閉された場合は圧縮機の停止中に庫内ファンの稼働率を高くするので、蒸発器に付着している多量の水滴が空気中の水分となって庫内に還元されてしまい、庫内湿度が高くなってしまう。
【０００７】
庫内湿度が高くなると庫内に結露が生じ、その結露水が庫内収納物や庫内床に滴下することが問題となることがある。また、庫内湿度が高くなると蒸発器に多量の霜が付着し、冷却効率が悪化する虞がある。また、低温貯蔵庫が冷凍庫の場合は、庫内湿度が高くなると庫内壁面、冷却装置、庫内収納物などに霜付きや凍りつきが生じる虞がある。
【０００８】
本明細書では、冷却運転中に圧縮機を停止させているときに庫内湿度が高くなることを抑制しつつ、着霜量が少ない場合に庫内温度のムラを抑制する技術を開示する。
【課題を解決するための手段】
【０００９】
本明細書で開示する冷却貯蔵庫は、扉を有する貯蔵庫本体と、圧縮機及び蒸発器を有する冷却装置と、前記蒸発器によって冷却された空気を庫内に循環させる庫内ファンと、前記蒸発器の着霜量との間に相関がある物理量を検出する検出部と、前記圧縮機の運転／停止を切り替えて庫内温度をほぼ一定の範囲内に維持する冷却運転を行う制御部と、を備え、前記制御部は、前記物理量と第１の基準値とを比較して前記蒸発器の着霜量の多少を判断し、前記冷却運転中に前記圧縮機を停止させているとき、着霜量が多い場合は着霜量が少ない場合に比べて前記庫内ファンの稼働率を小さくする。
【００１０】
上記の冷却貯蔵庫によると、冷却運転中に圧縮機を停止させているとき、蒸発器の着霜量が多い場合は着霜量が少ない場合に比べて庫内ファンの稼働率を小さくするので、庫内湿度が高くなることを抑制できる。
一方、着霜量が少ない場合は着霜量が多い場合に比べて庫内ファンの稼働率を大きくするので、庫内温度のムラを抑制できる。なお、着霜量が少ない場合は庫内ファンの稼働率を大きくしても庫内に水分が還元され難いので、庫内湿度は高くなり難い。すなわち、蒸発器の着霜量が少ない場合は庫内ファンの稼働率を大きくすると、庫内湿度が高くなることを抑制しつつ庫内温度のムラを抑制できる。
よって上記の冷却貯蔵庫によると、冷却運転中に圧縮機を停止させているときに庫内湿度が高くなることを抑制しつつ、着霜量が少ない場合に庫内温度のムラを抑制できる。
【００１１】
また、前記制御部は、前記冷却運転中に前記圧縮機を停止させているとき、着霜量が少ない場合は前記庫内ファンを連続運転又は間欠運転する一方、着霜量が多い場合は前記庫内ファンを完全に停止させてもよい。
【００１２】
上記の冷却貯蔵庫によると、冷却運転中に圧縮機を停止させているとき、蒸発器の着霜量が多い場合は庫内ファンを完全に停止させるので、庫内湿度が高くなることをより確実に抑制できる。
【００１３】
また、前記物理量は前記蒸発器の着霜量との間に正の相関があるものであり、前記制御部は、前記蒸発器の着霜量が多い場合に、前記物理量が前記第１の基準値より大きい第２の基準値未満の場合は前記庫内ファンを間欠運転する一方、前記第２の基準値以上の場合は前記庫内ファンを完全に停止させてもよい。
【００１４】
着霜量が多い場合に無条件に庫内ファンを停止させると、庫内温度にムラが生じて庫内収納物に影響してしまう虞がある。上記の冷却貯蔵庫によると、着霜量が多い場合であっても物理量が第２の基準値未満の場合は庫内ファンを間欠運転するので、着霜量が多い場合に、庫内温度のムラの抑制と庫内湿度が高くなることの抑制との調和を図ることができる。
【００１５】
また、前記第１の基準値と前記第２の基準値との間に一つ以上の互いに異なる第３の基準値が設定されており、前記制御部は、各前記第３の基準値について、前記物理量が当該第３の基準値以上の場合は当該第３の基準値未満の場合に比べて前記庫内ファンの稼働率を小さくしてもよい。
【００１６】
上記の冷却貯蔵庫によると、庫内ファンの稼働率を着霜量に応じてより極め細かく制御できる。
【００１７】
また、前記物理量は前記蒸発器の着霜量との間に負の相関があるものであり、前記制御部は、前記蒸発器の着霜量が多い場合に、前記物理量が前記第１の基準値より小さい第２の基準値以上の場合は前記庫内ファンを間欠運転する一方、前記第２の基準値未満の場合は前記庫内ファンを完全に停止させてもよい。
【００１８】
上記の冷却貯蔵庫によると、着霜量が多い場合に、庫内温度のムラの抑制と庫内湿度が高くなることの抑制との調和を図ることができる。
【００１９】
また、前記第１の基準値と前記第２の基準値との間に一つ以上の互いに異なる第３の基準値が設定されており、前記制御部は、各前記第３の基準値について、前記物理量が当該第３の基準値未満の場合は当該第３の基準値以上の場合に比べて前記庫内ファンの稼働率を小さくしてもよい。
【００２０】
上記の冷却貯蔵庫によると、庫内ファンの稼働率を着霜量に応じてより極め細かく制御できる。
【００２１】
また、前記物理量は、最後に前記蒸発器の除霜が完了したときからの前記扉の開閉回数、外気の温度、外気の湿度、前記圧縮機の温度、前記蒸発器の温度、及び、庫内温度のうちの少なくとも一つであってもよい。
【００２２】
これらの物理量を用いると、蒸発器の着霜量の多少を間接的に判断できる。
【００２３】
また、前記制御部は、前記蒸発器の除霜が完了する前の前記扉の開閉頻度と第４の基準値とを比較して除霜後の着霜量の多少を推定し、着霜量が多くなると推定した場合は、除霜後の前記冷却運転中に前記圧縮機を停止させているとき、前記蒸発器の着霜量の多少によらず、着霜量が多い場合の稼働率で前記庫内ファンを運転してもよい。
【００２４】
上記の冷却貯蔵庫によると、除霜後の着霜量が多くなると推定した場合は実際に蒸発器に多量の霜が付着する前から庫内ファンの稼働率を小さくするので、庫内湿度が高くなることをより確実に抑制することができる。
【００２５】
また、前記制御部は、除霜後の着霜量が多くなると推定した場合は、除霜後に所定のタイミングで前記扉の開閉頻度を求め、前記扉の開閉頻度が前記第４の基準値未満の場合は、その後は前記圧縮機を停止させる毎に前記蒸発器の着霜量の多少を判断して前記庫内ファンの稼働率を決定してもよい。
【００２６】
上記の冷却貯蔵庫によると、着霜量が多くなると推定した場合であっても、除霜後の扉の開閉頻度が第４の基準値未満の場合は、その後は圧縮機を停止させる毎に蒸発器の着霜量の多少を判断して庫内ファンの稼働率を決定するので、推定が誤っていた場合に着霜量が多い場合の稼働率のままで庫内ファンを運転してしまわないようにすることができる。
【発明の効果】
【００２７】
本明細書で開示する冷却貯蔵庫によれば、冷却運転中に圧縮機を停止させているときに庫内湿度が高くなることを抑制しつつ、着霜量が少ない場合に庫内温度のムラを抑制できる。
【図面の簡単な説明】
【００２８】
【図１】実施形態１に係る冷却貯蔵庫の斜視図であって、断熱箱体の一部をカットした状態の斜視図
【図２】冷却装置の回路図
【図３】冷却貯蔵庫の電気的構成を示すブロック図
【図４】冷却運転を説明するためのグラフ
【図５】冷却運転中の庫内ファンの制御を説明するためのグラフ（庫内ファンを間欠運転する場合）
【図６】冷却運転中の庫内ファンの制御を説明するためのグラフ（庫内ファンを完全に停止する場合）
【図７】冷却運転中に圧縮機を停止させているときの庫内ファンの制御を説明するための模式図
【図８】実施形態２に係る冷却運転中に圧縮機を停止させているときの庫内ファンの制御を説明するための模式図
【発明を実施するための形態】
【００２９】
＜実施形態１＞
実施形態１を図１ないし図７に基づいて説明する。
【００３０】
（１）プレハブ式冷蔵庫の構成
図１を参照して、本実施形態に係る冷却貯蔵庫としてのプレハブ式冷蔵庫１の構成について説明する。プレハブ式冷蔵庫１は図示しない開口を有する断熱箱体１１とその開口を開閉する断熱扉１２とを有する貯蔵庫本体１３を備えている。断熱箱体１１は複数の断熱パネルを箱状に組み立てることによって構成されたものである。断熱扉１２は扉の一例である。
【００３１】
貯蔵庫本体１３の天井の上面にはプレハブ式冷蔵庫１を制御する制御部２６（図３参照）が収容された筐体が取り付けられている。また、貯蔵庫本体１３の正面左側には操作部１４が設けられている。また、貯蔵庫本体１３の天井の下面には冷却装置３０（図２参照）を構成する室内機３０Ａが取り付けられている。
【００３２】
図２に示すように、プレハブ式冷蔵庫１は室内機３０Ａと室外機３０Ｂとからなる冷却装置３０を備えている。室内機３０Ａと室外機３０Ｂとは冷媒配管２１を介して循環接続されている。室内機３０Ａにはキャピラリチューブ（あるいは膨張弁）３１、蒸発器１５、庫内ファン１６、庫内温度センサ２２、蒸発器温度センサ３２などが収容されている。一方、室外機３０Ｂには圧縮機１８、凝縮器１９、凝縮器ファン２０などが収容されている。
【００３３】
（２）プレハブ式冷蔵庫の電気的構成
次に、図３を参照して、プレハブ式冷蔵庫１の電気的構成について説明する。前述したようにプレハブ式冷蔵庫１は制御部２６を備えている。制御部２６には操作部１４、圧縮機１８、庫内ファン１６、庫内温度センサ２２、蒸発器温度センサ３２、断熱扉開閉スイッチ２７などが接続されている。
【００３４】
制御部２６はＣＰＵ、ＲＯＭ、ＲＡＭなどを備えている。ＣＰＵはＲＯＭに記憶されているプログラムを実行することによってプレハブ式冷蔵庫１の各部を制御する。ＲＯＭにはＣＰＵによって実行されるプログラムや制御に用いる各種の設定値などが記憶されている。ＲＡＭは制御部２６が各種の処理を実行するための主記憶装置として用いられる。なお、制御部２６はＣＰＵに替えてＦＰＧＡ（Ｆｉｅｌｄ  Ｐｒｏｇｒａｍｍａｂｌｅ  Ｇａｔｅ  Ａｒｒａｙ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などを備えていてもよい。
【００３５】
操作部１４は、ユーザが各種の設定値（庫内設定温度、後述する基準値など）を設定するための操作ボタンや、庫内温度などのプレハブ式冷蔵庫１に関する各種の情報を表示する表示装置を備えて構成されている。なお、操作部１４はタッチパネルによって構成されてもよい。
庫内温度センサ２２は庫内温度を検出するためのものである。図２に示すように庫内温度センサ２２は庫内ファン１６と蒸発器１５との間に設けられている。
蒸発器温度センサ３２は蒸発器１５の温度を検出するものであり、蒸発器１５の冷却フィンに取り付けられている。
【００３６】
断熱扉開閉スイッチ２７は断熱扉１２の開閉回数をカウントするためのものである。断熱扉開閉スイッチ２７は断熱箱体１１の開口の近傍に設けられており、断熱扉１２が開けられると制御部２６に開信号を出力する。断熱扉開閉スイッチ２７は検出部の一例である。
【００３７】
制御部２６は断熱扉開閉スイッチ２７から開信号が出力される毎にカウンタに１を加算することによって断熱扉１２の開閉回数をカウントする。そして、制御部２６は後述する除霜運転を行って蒸発器１５を除霜すると上述したカウンタを０にリセットする。つまり、断熱扉１２の開閉回数とは、最後に蒸発器１５の除霜が完了したときからの開閉回数である。
【００３８】
ここで、断熱扉１２を開閉すると湿度が高い空気が庫内に流入するため、断熱扉１２の開閉回数が多いほど蒸発器１５の着霜量が多くなる。従って断熱扉１２の開閉回数は蒸発器１５の着霜量との間に正の相関がある物理量であるといえる。
【００３９】
（３）冷却運転、冷却運転中の庫内ファンの運転、及び、除霜運転
次に、制御部２６によって実行される冷却運転、冷却運転中の庫内ファンの運転、及び、除霜運転について説明する。
【００４０】
（３−１）冷却運転
先ず、図４を参照して、冷却運転について説明する。冷却運転は圧縮機１８の運転／停止を切り替えることによって庫内温度をほぼ一定の範囲内に維持する運転である。
具体的には、制御部２６はプレハブ式冷蔵庫１の電源が投入されると圧縮機１８の運転を開始させ、庫内温度センサ２２によって所定のサンプリング時間ごとに庫内温度を検出する。そして、制御部２６は、庫内温度が庫内設定温度に対して第１の温度以上低下すると圧縮機１８を停止させ、その後に庫内温度が庫内設定温度に対して第２の温度以上上昇すると圧縮機１８の運転を再開する。これを繰り返すことによって庫内温度が庫内設定温度に対してほぼ一定の範囲内に維持される。
【００４１】
（３−２）冷却運転中の庫内ファンの運転
次に、図５、図６及び図７を参照して、冷却運転中の庫内ファンの運転について説明する。図５及び図６に示すように、制御部２６は、冷却運転中に圧縮機１８を運転しているときは庫内ファン１６を連続運転する。これに対し、冷却運転中に圧縮機１８を停止させているときは、制御部２６は蒸発器１５の着霜量の多少に応じた稼働率で庫内ファン１６を運転する。ここで庫内ファン１６の稼働率とは、庫内ファン１６の回転時間と非回転時間との合計時間に対する回転時間の割合のことをいう。以下、具体的に説明する。
【００４２】
先ず、着霜量の多少を判断する処理について説明する。制御部２６は、断熱扉１２が開かれて断熱扉１２の開閉回数に１を加算する毎に、断熱扉１２の開閉回数と第１の基準値とを比較する。そして、制御部２６は断熱扉１２の開閉回数が第１の基準値に達した場合は着霜量が多いと判断し、庫内ファン１６の稼働率を小さくすることを示すフラグをオンにする。
【００４３】
次に、冷却運転中に圧縮機１８を停止させているときの庫内ファン１６の運転について説明する。制御部２６は、圧縮機１８を停止させると、図７に示すように、前述したフラグがオンであるか否か（断熱扉１２の開閉回数が第１の基準値以上であるか否か）を判断する。そして、制御部２６は、フラグがオフの場合（断熱扉１２の開閉回数が第１の基準値未満の場合）は、図５に示すように庫内ファン１６を間欠運転する。なお、ここではフラグがオフの場合は庫内ファン１６を間欠運転する場合を例示しているが、連続運転してもよい。
【００４４】
一方、制御部２６は、フラグがオンの場合（断熱扉１２の開閉回数が第１の基準値以上の場合）は、図６に示すように庫内ファン１６を完全に停止させる。言い換えると、制御部２６は、蒸発器１５の着霜量が多い場合は着霜量が少ない場合に比べて庫内ファン１６の稼働率を小さくする。
【００４５】
次に、庫内ファン１６の運転を再開する制御について説明する。制御部２６は庫内温度が庫内設定温度に対して第２の温度以上上昇すると、圧縮機１８の停止中に庫内ファン１６を間欠運転していた場合や完全に停止させていた場合は連続運転に戻し、庫内ファン１６を連続運転していた場合は連続運転を継続する。
【００４６】
（３−３）除霜運転
制御部２６は、冷却運転中に次に説明する除霜開始条件が成立すると、蒸発器１５に付着した霜を溶かすために、圧縮機１８を停止させて蒸発器１５を除霜する除霜運転を行う。除霜開始条件とは、具体的には「最後に蒸発器１５の除霜が完了したときから一定時間が経過したこと」、「予め設定されている時刻に達したこと」などである。なお、除霜開始条件はこれらに限定されるものではなく、適宜に設定可能である。
【００４７】
圧縮機１８を停止させると庫内温度が徐々に上昇し、蒸発器１５に付着した霜が溶ける。制御部２６は蒸発器温度センサ３２によって蒸発器１５の温度を監視し、蒸発器１５の温度が除霜完了温度まで上昇すると、除霜が完了したと判断して圧縮機１８の運転を再開するとともに、前述したカウンタを０にリセットする。
【００４８】
ここで、一般に蒸発器１５の除霜方式としては、圧縮機１８を停止させるとともに、蒸発器１５に取り付けられている除霜ヒータに通電したり蒸発器１５にホットガスを供給したりすることによって蒸発器１５を加熱する加熱除霜方式と、圧縮機１８を停止させる一方、蒸発器１５の加熱は行わず、庫内温度の上昇によって自然に霜を溶かすオフサイクル除霜方式とが知られている。本実施形態ではオフサイクル除霜方式によって除霜するものとする。なお、制御部２６は加熱除霜方式によって除霜してもよい。あるいは、庫内設定温度が低い場合は蒸発器１５に付着する霜が多くなるので加熱除霜方式によって除霜し、庫内設定温度が高い場合は、通常、蒸発器１５に付着する霜が少なくなるのでオフサイクル除霜方式によって除霜してもよい。
【００４９】
（４）実施形態の効果
以上説明した実施形態１に係るプレハブ式冷蔵庫１によると、冷却運転中に圧縮機１８を停止させているとき、蒸発器１５の着霜量が多い場合は着霜量が少ない場合に比べて庫内ファン１６の稼働率を小さくする（庫内ファン１６を完全に停止させる）ので、庫内湿度が高くなることを抑制できる。
一方、着霜量が少ない場合は着霜量が多い場合に比べて庫内ファン１６の稼働率を大きくする（庫内ファン１６を連続運転又は間欠運転する）ので、庫内温度のムラを抑制できる。なお、着霜量が少ない場合は庫内ファン１６の稼働率を大きくしても庫内に水分が還元され難いので、庫内湿度は高くなり難い。すなわち、蒸発器１５の着霜量が少ない場合は庫内ファン１６の稼働率を大きくすると、圧縮機１８の停止中に庫内湿度が高くなることを抑制しつつ、庫内温度のムラを抑制できる。
よってプレハブ式冷蔵庫１によると、冷却運転中に圧縮機１８を停止させているときに庫内湿度が高くなることを抑制しつつ、着霜量が少ない場合に庫内温度のムラを抑制できる。
【００５０】
更に、プレハブ式冷蔵庫１によると、冷却運転中に圧縮機１８を停止させているとき、蒸発器１５の着霜量が多い場合は庫内ファン１６を完全に停止させるので、庫内湿度が高くなることをより確実に抑制できる。
【００５１】
更に、プレハブ式冷蔵庫１によると、物理量は、最後に蒸発器１５の除霜が完了したときからの断熱扉１２の開閉回数である。断熱扉１２の開閉回数を用いると、蒸発器１５の着霜量の多少を間接的に判断できる。
【００５２】
更に、プレハブ式冷蔵庫１によると、操作部１４によって基準値の設定を受け付けるので、庫内収納物などに応じて適切な基準値を設定できる。
【００５３】
＜実施形態２＞
次に、実施形態２を図８に基づいて説明する。図８に示すように、実施形態２に係る制御部２６には、第１の基準値と、第１の基準値より大きい第２の基準値とが設定されている。
【００５４】
実施形態２に係る制御部２６は、断熱扉１２の開閉回数が第１の基準値以上の場合（着霜量が多い場合）は、更に、断熱扉１２の開閉回数と第２の基準値とを比較する。そして、制御部２６は、断熱扉１２の開閉回数が第２の基準値未満の場合は、除霜中に庫内ファン１６を間欠運転する。ここで、制御部２６は、断熱扉１２の開閉回数が第１の基準値未満の場合に庫内ファン１６を間欠運転する場合は、断熱扉１２の開閉回数が第１の基準値以上、第２の基準値未満の場合には、断熱扉１２の開閉回数が第１の基準値未満の場合に比べて庫内ファン１６の稼働率を小さくする。一方、断熱扉１２の開閉回数が第２の基準値以上の場合は、制御部２６は庫内ファン１６を完全に停止させる。
【００５５】
以上説明した実施形態２に係るプレハブ式冷蔵庫１によると、着霜量が多い場合（断熱扉１２の開閉回数が第１の基準値以上の場合）であっても断熱扉１２の開閉回数が第２の基準値未満の場合は庫内ファン１６を間欠運転する。着霜量が多い場合に無条件に庫内ファン１６を停止させると、庫内温度にムラが生じて庫内収納物に影響してしまう虞がある。着霜量が多い場合であっても断熱扉１２の開閉回数が第２の基準値未満の場合は庫内ファン１６を間欠運転するようにすると、着霜量が多い場合に、庫内温度のムラの抑制と庫内湿度が高くなることの抑制との調和を図ることができる。
【００５６】
＜実施形態３＞
次に、実施形態３を説明する。
実施形態３では、制御部２６は蒸発器１５の除霜が完了する前の断熱扉１２の開閉頻度と第４の着霜量とを比較して除霜後の着霜量の多少を推定し、着霜量が多くなると推定した場合は、除霜後の冷却運転中に圧縮機１８を停止させているとき、蒸発器１５の着霜量の多少によらず、着霜量が多い場合の稼働率（断熱扉１２の開閉回数が第１の基準値以上の場合の稼働率）で庫内ファン１６を運転する。
【００５７】
具体的には、制御部２６は、除霜が完了すると、その除霜の直前に行った除霜が完了した時からその除霜が完了した時までの期間にカウントされた断熱扉１２の開閉回数を当該期間の長さ（時間）で除することにより、単位時間あたりの断熱扉１２の開閉回数、言い換えると断熱扉１２の開閉頻度を求める。そして、制御部２６は、断熱扉１２の開閉頻度が第４の基準値未満の場合は今後も断熱扉１２が開閉される回数は少ないであろうと判断し、除霜後の着霜量は少なくなると推定する。一方、当該第４の基準値以上の場合は、制御部２６は今後も断熱扉１２が開閉される回数は多いであろうと判断し、除霜後の着霜量が多くなると推定する。
【００５８】
そして、制御部２６は、除霜後の着霜量は少なくなると推定した場合は、実施形態１あるいは実施形態２と同様に、冷却運転中に圧縮機１８を停止させる毎に前述したフラグのオン／オフに基づいて庫内ファン１６の稼働率を決定し、決定した稼働率で庫内ファン１６を運転する。これに対し、制御部２６は、除霜後の着霜量が多くなると推定した場合は、圧縮機１８を停止させたとき、前述したフラグのオン／オフの判断は行わず、着霜量が多い場合の稼働率で庫内ファン１６を運転する。
【００５９】
ただし、制御部２６は、除霜後の着霜量が多くなると推定した場合であっても、次回の除霜が行われるまで着霜量が多い場合の稼働率のままで庫内ファン１６を運転するのではなく、圧縮機１８の除霜が完了した後、例えば１時間毎などの所定のタイミングで除霜後の断熱扉１２の開閉頻度を算出し、開閉頻度が前述した第４の基準値未満の場合は、その後は圧縮機１８を停止させる毎に前述したフラグのオン／オフを判断して庫内ファン１６の稼働率を決定する。
【００６０】
以上説明した実施形態３に係るプレハブ式冷蔵庫１によると、除霜後の着霜量が多くなると推定した場合は実際に蒸発器１５に多量の霜が付着する前から庫内ファン１６の稼働率を小さくするので、庫内湿度が高くなることをより確実に抑制することができる。
【００６１】
更に、実施形態３に係るプレハブ式冷蔵庫１によると、着霜量が多くなると推定した場合であっても、除霜後の断熱扉１２の開閉頻度が第４の基準値未満の場合は、その後は圧縮機１８を停止させる毎に蒸発器１５の着霜量の多少を判断して庫内ファン１６の稼働率を決定するので、推定が誤っていた場合に着霜量が多い場合の稼働率のままで庫内ファン１６を運転してしまわないようにすることができる。
【００６２】
＜他の実施形態＞
本明細書によって開示される技術は上記記述及び図面によって説明した実施形態に限定されるものではなく、例えば次のような実施形態も本明細書によって開示される技術的範囲に含まれる。
【００６３】
（１）上記実施形態１では蒸発器１５の着霜量との間に正の相関がある物理量として断熱扉１２の開閉回数を例に説明した。しかしながら、当該物理量は断熱扉１２の開閉回数に限定されるものではない。例えば当該物理量は外気の温度や湿度であってもよい。外気の温度や外気の湿度が高いと蒸発器１５の着霜量も多くなるからである。なお、物理量として外気の温度や外気の湿度を用いる場合は、外気の温度や外気の湿度を検出するセンサが検出部の一例である。実施形態２、３についても同様である。
【００６４】
（２）上記実施形態１では蒸発器１５の着霜量との間に正の相関がある物理量を例に説明したが、物理量は蒸発器１５の着霜量との間に負の相関があるものであってもよい。例えば蒸発器１５の着霜量が多くなると熱交換が少なくなって冷媒温度が下がり、圧縮機１８の温度が低下する。このため圧縮機１８の温度は蒸発器１５の着霜量との間に負の相関がある物理量であるといる。また、負の相関がある物理量は蒸発器１５の温度や庫内温度であってもよい。
蒸発器１５の着霜量との間に負の相関がある物理量を用いる場合は、物理量が第１の基準値未満の場合に蒸発器１５の着霜量が多いと判断すればよい。なお、物理量として圧縮機１８の温度、蒸発器１５の温度、あるいは庫内温度を用いる場合は、それらを検出するセンサが検出部の一例である。実施形態２、３についても同様である。
【００６５】
（３）上記実施形態１では断熱扉１２の開閉回数が第１の基準値以上の場合は庫内ファン１６を完全に停止させる場合を例に説明した。これに対し、断熱扉１２の開閉回数が第１の基準値以上の場合も庫内ファン１６を完全には停止させず、第１の基準値未満の場合よりも稼働率を小さくして間欠運転してもよい。実施形態２についても同様であり、断熱扉１２の開閉回数が第２の基準値以上の場合も庫内ファン１６を完全に停止させず、第２の基準値未満の場合よりも稼働率を小さくして間欠運転してもよい。
【００６６】
（４）上記実施形態２では２つの基準値（第１の基準値と第２の基準値）を例に説明したが、基準値は３つ以上であってもよい。例えば第１の基準値と第２の基準値との間に一つ以上の互いに異なる第３の基準値が設定されていてもよい。そして、各第３の基準値について、物理量が当該第３の基準値以上の場合は当該第３の基準値未満の場合に比べて庫内ファン１６の稼働率を小さくしてもよい。このようにすると、庫内ファン１６の稼働率を着霜量に応じてより極め細かく制御できる。蒸発器１５の着霜量との間に負の相関がある物理量を用いる場合についても同様である。また、一つ以上の第３の基準値をユーザが任意に設定できるようにしてもよい。
【００６７】
（５）上記実施形態では断熱扉１２の開閉回数に１を加算したタイミングで断熱扉１２の開閉回数と第１の基準値とを比較して着霜量の多少を判断する場合を例に説明したが、着霜量の多少を判断するタイミングはこれに限られない。例えば、冷却運転中に圧縮機を停止したタイミングで断熱扉１２の開閉回数と第１の基準値とを比較して着霜量の多少を判断してもよいし、冷却運転中の予め設定されている任意の時刻に達したタイミングで判断してもよいし、単位時間ごとに判断してもよい。
【００６８】
（６）上記実施形態では物理量として断熱扉１２の開閉回数のみを用いる場合を例に説明した。これに対し、互いに異なる複数の物理量を用いてもよい。例えば、互いに異なる複数の物理量にそれぞれその物理量に対応する第１の基準値を設定し、いずれか一つの物理量が当該物理量に対応する第１の基準値以上の場合は着霜量が多いと判断してもよい。
【００６９】
（７）上記実施形態では冷却貯蔵庫としてプレハブ式冷蔵庫１を例に説明したが、冷却貯蔵庫は室内に設置される冷蔵庫、冷凍庫、冷凍冷蔵庫などであってもよい。
【符号の説明】
【００７０】
１・・・プレハブ式冷蔵庫、１２・・・断熱扉、１３・・・貯蔵庫本体、１５・・・蒸発器、１６・・・庫内ファン、１８・・・圧縮機、２６・・・制御部、２７・・・断熱扉開閉スイッチ、３０・・・冷却装置
【図１】
2017020746.tif 000003
【図２】
2017020746.tif 000004
【図３】
2017020746.tif 000005
【図４】
2017020746.tif 000006
【図５】
2017020746.tif 000007
【図６】
2017020746.tif 000008
【図７】
2017020746.tif 000009
【図８】
2017020746.tif 000010